(57)【要約】      （修正有）【課題】側壁の厚みを増大させることなく且つアンダーカット形状を発生させることなく、水圧による側壁の膨張変形を抑制できる浴槽を提供する。【解決手段】水平方向に広がる底部３と、底部３から屈曲して上方に延びる下屈曲部４と、下屈曲部４から上屈曲部５まで上方に延びる側壁１０とを有し、上屈曲部５は水平方向に広がるフランジ６から屈曲して下方に延びている、浴槽１であって、側壁１０の全体は、湾曲壁であり、側壁１０の内面１０Ａ及び外面１０Ｂはそれぞれ、上方に向けて外側に反るように湾曲している。【選択図】図２
2013111257.tif 000002
【特許請求の範囲】
【請求項１】
水平方向に広がる水平部と、該水平部から屈曲して上方に延びる下屈曲部と、該下屈曲部から開口上端まで又は上屈曲部まで上方に延びる側壁とを有し、該上屈曲部は水平方向に広がるフランジから屈曲して下方に延びている、浴槽であって、
前記側壁は、該側壁の周上の少なくとも一部に湾曲壁を有しており、該湾曲壁の内面及び外面はそれぞれ、上方に向けて外側に反るように湾曲している、浴槽。
【請求項２】
前記側壁の全体が、前記湾曲壁である、請求項１に記載の浴槽。
【請求項３】
前記側壁は、四隅に丸みを有する長方形形状であり、２つの短手壁、２つの長手壁、及び４つの弧壁を有しており、
前記長手壁は、前記湾曲壁である、請求項１に記載の浴槽。
【請求項４】
前記湾曲壁の前記内面及び前記外面は、互いに略平行である、請求項１から３のいずれか１つに記載の浴槽。
【請求項５】
前記湾曲壁の前記内面は、前記湾曲壁の下端において、鉛直方向に広がる平面又は曲面に接している、請求項１から４のいずれか１つに記載の浴槽。
【発明の詳細な説明】
【技術分野】
【０００１】
本発明は、水平方向に広がる水平部と、該水平部から屈曲して上方に延びる下屈曲部と、該下屈曲部から開口上端まで又は上屈曲部まで上方に延びる側壁とを有し、該上屈曲部は水平方向に広がるフランジから屈曲して下方に延びている、浴槽に関する。
【背景技術】
【０００２】
浴槽に水が満たされたとき、浴槽の側壁に水圧が掛かる。従来、水圧による浴槽のたわみを防止することを可能にする浴槽が提案されている。このような浴槽が、例えば、特許文献１、２に開示されている。
【０００３】
特許文献１に開示される浴槽は、バスタブ本体と補強槽とを備えている。補強槽は、浴槽の底面に近づくにしたがい、その側壁の厚さが厚くなるように設けられている。特許文献１によれば、この構造により、水圧に対する浴槽の強度が、浴槽の底面に近づくにしたがって強くなる。
【０００４】
特許文献２に開示される浴槽では、浴槽の側壁が、その上端から下端にかけて外側に膨らむように湾曲されている。また、この側壁は、多層構造を有しており、浴槽内面側から透明アクリル樹脂、合成樹脂着色層、及びＡＢＳ樹脂層がその順に一体化されている。
【先行技術文献】
【特許文献】
【０００５】
【特許文献１】特開２００１−２６９２７９号公報
【特許文献２】実開平５−５８０９１号公報
【発明の概要】
【発明が解決しようとする課題】
【０００６】
従来の浴槽では、側壁に掛かる水圧によって、側壁に膨張変形が発生する。
【０００７】
図１０は、水圧による浴槽９０１の変形量の分布を示す浴槽９０１の斜視図である。浴槽９０１は、２つの短手壁９１１、及び２つの長手壁９１２を有している。２つの短手壁９１１は、浴槽９０１の長手方向の両側に配置されており、２つの長手壁９１２は、浴槽９０１の短手方向の両側に配置されている。図１０において、変形量が大きくなるほど、浴槽９０１に描かれる色が薄くなっている。図１０によれば、長手壁９１２の変形量が、他の部位と比べて相対的に大きい。特に、長手壁９１２の中央部において変形量が大きい。
【０００８】
特許文献１では、変形量が相対的に大きな箇所において側壁が厚く形成されている。この対応は、強度を高めることによって、変形量を抑制することを意図している。ところが、この対応は、材料費の増大や、重量の増加による施工性の低下を招く。
【０００９】
特許文献２では、外側に突出するように湾曲した側壁を、浴槽に採用している。この対応は、水圧による側壁の膨張変形を抑制することを意図している。ところが、側壁が外側に突出するように湾曲する場合、同文献の図２に示されるように、側壁の中央部が側壁の上端部及び下端部よりも外側に突出する。この場合、浴槽にアンダーカット形状が発生するので、浴槽の成形が困難になる。また、この形状は、内容積の増加を招き、結果として水の使用量の増加を招く。
【００１０】
そこで、本発明は、側壁の厚みを増大させることなく且つアンダーカット形状を発生させることなく、水圧による側壁の膨張変形を抑制できる浴槽を提供する。
【課題を解決するための手段】
【００１１】
本発明に係る浴槽は、水平方向に広がる水平部と、該水平部から屈曲して上方に延びる下屈曲部と、該下屈曲部から開口上端まで又は上屈曲部まで上方に延びる側壁とを有し、該上屈曲部は水平方向に広がるフランジから屈曲して下方に延びている、浴槽であって、前記側壁は、該側壁の周上の少なくとも一部に湾曲壁を有しており、該湾曲壁の内面及び外面はそれぞれ、上方に向けて外側に反るように湾曲している。
【００１２】
好ましくは、前記側壁の全体が、前記湾曲壁である。
【００１３】
好ましくは、前記側壁は、四隅に丸みを有する長方形形状であり、２つの短手壁、２つの長手壁、及び４つの弧壁を有しており、前記長手壁は、前記湾曲壁である。
【００１４】
好ましくは、前記湾曲壁の前記内面及び前記外面は、互いに略平行である。
【００１５】
好ましくは、前記湾曲壁の前記内面は、前記湾曲壁の下端において、鉛直方向に広がる平面又は曲面に接している。
【００１６】
湾曲壁が平面視で直線状に広がっている場合、該湾曲壁は、鉛直方向に広がる平面に接触する。湾曲壁が平面視で曲線状に広がっている場合、該湾曲壁は、鉛直方向に広がる曲面に接触する。
【発明の効果】
【００１７】
本発明に係る浴槽は、側壁の厚みを増大させることなく且つアンダーカット形状を発生させることなく、水圧による側壁の膨張変形を抑制できる。
【図面の簡単な説明】
【００１８】
【図１】図１は、第１実施形態に係る浴槽の斜視図である。
【図２】図２は、図１のＡ−Ａ断面図である。
【図３】図３は、第１実施形態に係る浴槽の平面図である。
【図４】図４は、長手壁を示す図１のＡ−Ａ断面である。
【図５】図５は、比較例に係る浴槽及び側壁の横断面図である。
【図６】図６は、第１実施形態に係る浴槽及び側壁の横断面図である。
【図７】図７は、第２実施形態に係る浴槽の縦断面図である。
【図８】図８は、第３実施形態に係る浴槽の縦断面図である。
【図９】図９は、第４実施形態に係る浴槽の横断面図である。
【図１０】図１０は、水圧による浴槽の変形量の分布を示す浴槽の斜視図である。
【発明を実施するための形態】
【００１９】
（第１実施形態）
図１から図６を参照して、第１実施形態に係る浴槽１を説明する。
【００２０】
図１は、浴槽１の斜視図である。図２は、図１のＡ−Ａ断面図である。図１、図２において、浴槽１は、下方から上方に向けて、脚部２、底部３、下屈曲部４、側壁１０、上屈曲部５、及びフランジ６を有している。脚部２は、底部３の下面に固定されている。底部３は、水平方向に広がっている。底部３は水平部である。下屈曲部４は、底部３の外側端から上方に向けて屈曲している。側壁１０は下屈曲部４の上端から上方に延びている。上屈曲部１５は、側壁１０の上端から水平方向の外側へと屈曲している。フランジ６は、上屈曲部１５の外側端から水平方向の外側に広がっている。脚部２、底部３、下屈曲部４、側壁１０、上屈曲部５、及びフランジ６は、いずれも概ね一定の厚さを有している。脚部２、底部３、下屈曲部４、側壁１０、及び上屈曲部５は、水を溜める容器を形成している。
【００２１】
図１、図２において、底部３、下屈曲部４、側壁１０、上屈曲部５、及びフランジ６は、境界面Ｂ１、Ｂ２、Ｂ３、Ｂ４によって区分されている。これらの境界線Ｂ１、Ｂ２、Ｂ３、Ｂ４は、曲率が変化する位置を指している。つまり、底部３、下屈曲部４、側壁１０、上屈曲部５、及びフランジ６の曲率は、互いに異なっている。
【００２２】
図３は、浴槽１の平面図である。図３において、帯状の境界面Ｂ１、Ｂ２、Ｂ３、Ｂ４は、四隅に丸みを有する長方形形状を有している。側壁１０は境界面Ｂ２、Ｂ３の間に挟まれているので、側壁１０は四隅に丸みを有する長方形形状を有している。側壁１０の内面１０Ａ及び外面１０Ｂの下端は、境界面Ｂ２上にあり、内面１０Ａ及び外面１０Ｂの上端は、境界面Ｂ３上にある。側壁１０は、該側壁１０の周に沿って、２つの短手壁１１、２つの長手壁１２、及び４つの弧壁１３を有している。
【００２３】
側壁１０の厚さは概ね等しい。つまり、側壁１０の内面１０Ａ及び外面１０Ｂは、互いに略平行である。
【００２４】
図４は、長手壁１２を示す図１のＡ−Ａ断面である。長手内面１２Ａ及び長手外面１２Ｂはそれぞれ、長手壁１２の内面及び外面である。長手内面１２Ａ及び長手外面１２Ｂはそれぞれ、内面１０Ａ及び外面１０Ｂの下端と上端とを接続する曲線の集合によって形成される曲面である。また、基準内面１２ＡＳ及び基準外面１２ＢＳは、内面１０Ａの下端と上端とを接続する直線の集合によって形成される曲面である。図４において、長手内面１２Ａは、下屈曲部４から上方に向けて外側に反るように湾曲している。このため、長手内面１２Ａは、基準面１２ＡＳよりも内側に突出している。同じく、長手外面１２Ｂも、下屈曲部４から上方に向けて外側に反るように湾曲している。長手外面１２Ｂは、基準面１２ＢＳよりも内側に突出している。ここで、外側及び内側はそれぞれ、側壁１０から浴槽１の外部及び内部に向かう方向を指している。
【００２５】
長手内面１２Ａ及び長手外面１２Ｂは、上方に向けて外側に反るように湾曲する湾曲面である。長手壁１２は、内面及び外面が湾曲面により形成された湾曲壁である。第１実施形態では、側壁１０の全体が湾曲壁により構成されている。
【００２６】
図４において、鉛直平面１２ＡＶは、鉛直線の集合によって形成される平面であり、鉛直方向に広がっている。長手内面１２Ａは、長手壁１２の下端において鉛直平面１２ＡＶに接している。このため、長手内面１２Ａの全体は、鉛直平面１２ＡＶの外側にある。
【００２７】
図５、図６を参照して、内側に突出する突出曲面を有する浴槽１０の作用を説明する。
【００２８】
図５は、比較例に係る浴槽の横断面の模式図である。図５において、比較例に係る浴槽１０１は、脚部１０２、底部１０３、下屈曲部１０４、側壁１１０、上屈曲部１０５、及びフランジ１０６を有している。比較例に係る浴槽１０１は、外側に向けて反るように湾曲する湾曲壁を有していない。側壁１１０の鉛直面における断面は、一直線状の形状を描く。図５において、側壁１１０の内面１１０Ａ及び外面１１０Ｂは、直線を描いている。
【００２９】
図５において、浴槽１０１内に水が満たされており、その水圧が内面１１０Ａに掛かっている。水圧により帯状領域Ａ０で側壁１１０に変位が発生するとき、圧縮方向の力ＦＡ０が内面１１０Ａに加わり、膨張方向の力ＦＢ０が外面１１０Ｂに加わる。力ＦＡ０の方向は力ＦＢ０の方向に対して反対である。このため、荷重（水圧）による変形量は比較的大きい。つまり、側壁１１０は、比較的撓みやすい。
【００３０】
図６は、第１実施形態に係る浴槽の横断面の模式図である。図６において、水圧により帯状領域Ａ１で側壁１０に変位が発生するとき、圧縮方向の力ＦＡ１が内面１０Ａに加わり、圧縮方向の力ＦＢ１が外面１０Ｂに加わる。力ＦＡ１の方向は力ＦＢ１の方向と同じである。このため、荷重（水圧）による変形量は比較的小さい。つまり、側壁１０は、側壁１１０と比べて撓みにくい。なお、この作用は、内面１０Ａ及び外面１０Ｂが互いに平行でなくても、内面１０Ａ及び外面１０Ｂが共に内側に突出するように湾曲していれば得られる。
【００３１】
（第２実施形態）
図７を参照して、第２実施形態に係る浴槽２０１を説明する。第２実施形態に係る浴槽２０１は、側壁２１０の構成を除いて、第１実施形態に係る浴槽１０１と同一の構成を有している。
【００３２】
図７は、第２実施形態に係る浴槽２０１の縦断面図である。浴槽２０１の側壁２１０も、側壁１０と同様に、側壁２１０の周に沿って、２つの短手壁２１１、２つの長手壁１２、及び４つの弧壁２１３を有している。浴槽２０１に係る短手壁２１１及び弧壁２１３は、浴槽１に係る短手壁１１及び弧壁１３と異なっている。浴槽２０１に係る長手壁１２は、浴槽１に係る長手壁１２と同じである。
【００３３】
図７において、短手壁２１１は、上方に向けて一直線状に延びている。長手壁１２は、図２に示されるように、上方に向けて外側に反るように湾曲している。弧壁２１３は、一直線状に延びる短手壁２１１を、外側に反るように延びる長手壁１２に接続している。このため、弧壁２１３は、鉛直面内における形状が直線から曲線に徐々に変化するように、形成されている。
【００３４】
（第３実施形態）
図８を参照して、第３実施形態に係る浴槽３０１を説明する。第３実施形態に係る浴槽３０１は、脚部３０２、底部３０３、下屈曲部３０４、及び側壁３１０の構成を除いて、第１実施形態に係る浴槽１０１と同一の構成を有している。
【００３５】
図８は、第３実施形態に係る浴槽３０１の縦断面図である。浴槽３０１は、利用者が腰を載せるための腰掛け部３０３を有している。腰掛け部３０３は、平面視で底部３とは異なる位置に設けられている。腰掛け部３０３の配置位置は、底部３の配置位置よりも高い。底部３０３は、水平方向に広がっている。底部３０３も水平部である。下屈曲部３０４は、底部３０３の外側端から上方に向けて屈曲している。脚部２は、底部３の下面に固定されている。
【００３６】
浴槽３０１の側壁３１０も、側壁１０と同様に、側壁３１０の周に沿って、２つの短手壁１１、３１１、２つの長手壁１２、及び４つの弧壁１３、１３、３１３、３１３を有している。短手壁３１１、２つの弧壁３１３は、下屈曲部３０４から上方に延びている。短手壁３１１、２つの弧壁３１３は、側壁１０と同様に、上方に向けて外側に反るように湾曲している。
【００３７】
（第４実施形態）
図９を参照して、第４実施形態に係る浴槽４０１を説明する。第４実施形態に係る浴槽４０１は、上屈曲部５及びフランジ６を除いて、第１実施形態に係る浴槽１０１と同一の構成を有している。
【００３８】
図９は、第４実施形態に係る浴槽４０１の横断面図である。図９において、浴槽４０１は、浴槽１が有する上屈曲部５及びフランジ６を有していない。浴槽４０１は、浴槽１と同一の側壁１０を備えている。ただし、側壁１０の上端は、浴槽４０１の開口端部Ｂ０である。
【００３９】
（各実施形態に係る浴槽の効果）
本実施形態に係る浴槽の効果を説明する。
【００４０】
第１から第４実施形態に係る浴槽は、側壁の周上の少なくとも一部に湾曲壁を有している。湾曲壁は、上方に向けて外側に反るように湾曲している。このため、湾曲壁は、アンダーカット形状を発生させない。また、湾曲壁は、水圧による側壁の膨張変形を抑制できる。しかも、これらの効果は、側壁の厚みを増大させることなく得られる。したがって、第１から第４実施形態に係る浴槽は、側壁の厚みを増大させることなく且つアンダーカット形状を発生させることなく、水圧による側壁の膨張変形を抑制できる。
【００４１】
第１、第３、及び第４実施形態に係る浴槽では、側壁の全体が、湾曲壁である。このため、第１、第３、及び第４実施形態に係る浴槽は、側壁の全体において、水圧による側壁の膨張変形を抑制できる。
【００４２】
第１から第４実施形態に係る浴槽では、長手壁は、湾曲壁である。長手壁は、側壁において相対的に大きな面積を有しているので、長手壁において膨張変形が発生しやすい。このため、第１から第４実施形態に係る浴槽は、膨張変形が相対的に発生しやすい部位において、水圧による側壁の膨張変形を抑制できる。
【００４３】
第１から第４実施形態に係る浴槽では、湾曲壁の内面及び外面は、互いに略平行である。このため、第１から第４実施形態に係る浴槽は、側壁の厚みを変化させることなく、水圧による側壁の膨張変形を抑制できる。
【００４４】
第１から第４実施形態に係る浴槽では、湾曲壁の内面は、湾曲壁の下端において、鉛直方向に広がる平面（鉛直平面）に接している。ここで、湾曲壁の傾斜角度が大きくなるにつれて、浴槽の開口面積に対する底部の上面面積の割合が低下し、浴槽の内容積が減少する。このため、第１から第４実施形態に係る浴槽は、湾曲壁のために、浴槽の内容積を減少することを防止できる。
【符号の説明】
【００４５】
１、２０１、３０１、４０１  浴槽
３、３０３  底部（水平部）
４、３０４  下屈曲部
５  上屈曲部
６  フランジ
１０、２１０、３１０  側壁
１０Ａ  内面
１２Ａ  長手内面（内面）
１０Ｂ  外面
１２Ｂ  長手外面（外面）
１１、２１１、３１１  短手壁
１２  長手壁
１３、２１３、３１３  弧壁
１２ＡＶ  鉛直平面（鉛直方向に広がる平面）
【図１】
2013111257.tif 000003
【図２】
2013111257.tif 000004
【図３】
2013111257.tif 000005
【図４】
2013111257.tif 000006
【図５】
2013111257.tif 000007
【図６】
2013111257.tif 000008
【図７】
2013111257.tif 000009
【図８】
2013111257.tif 000010
【図９】
2013111257.tif 000011
【図１０】
2013111257.tif 000012